(57)【特許請求の範囲】
【請求項１】
吸着剤を有して該吸着剤を空気と接触させる吸着部材（51,52）と、該吸着部材（51,52）が収容されるケーシング（11）とを備え、
上記ケーシング（11）内に取り込んだ空気を上記吸着部材（51,52）と接触させることによって湿度調節する調湿装置であって、
上記ケーシング（11）内には、上記吸着部材（51,52）をバイパスして空気を流すためのバイパス通路（81,82）が形成されると共に、該バイパス通路（81,82）を開閉するためのバイパス用ダンパ（83,84）が設けられ、
上記バイパス用ダンパ（83,84）を閉じ、上記ケーシング（11）内へ取り込んだ空気を上記吸着部材（51,52）で湿度調節した後に室内へ供給する調湿運転と、上記バイパス用ダンパ（83,84）を開き、上記ケーシング（11）内へ取り込んだ空気を上記バイパス通路（81,82）へ送ってそのまま室内へ供給する単純換気運転とを選択的に行う一方、
上記調湿運転の終了後に上記バイパス用ダンパ（83,84）を開いて該バイパス用ダンパ（83,84）へ空気を供給する通風運転を実行可能となっている
ことを特徴とする調湿装置。
【請求項２】
請求項１において、
上記ケーシング（11）内に室外空気と室内空気を取り込み、上記吸着部材（51,52）によって除湿した室外空気を室内へ供給し、室内空気を上記吸着部材（51,52）から脱離した水分と共に室外へ排出する除湿運転を上記調湿運転として行う一方、
上記ケーシング（11）内には、上記吸着部材（51,52）をバイパスして室外空気を室内へ送るための外気バイパス通路（81）がバイパス通路として形成されると共に、上記外気バイパス通路（81）を開閉するための外気バイパス用ダンパ（83）がバイパス用ダンパとして設けられており、
上記除湿運転の終了後に実行される上記通風運転として、上記外気バイパス用ダンパ（83）を開いて該外気バイパス用ダンパ（83）へ室外空気を供給し、該外気バイパス用ダンパ（83）を通過した室外空気を室外へ排出する運転を行う
ことを特徴とする調湿装置。
【請求項３】
請求項１において、
上記ケーシング（11）内に室外空気と室内空気を取り込み、室外空気を上記吸着部材（51,52）から脱離した水分と共に室内へ供給し、上記吸着部材（51,52）によって除湿した室内空気を室外へ排出する加湿運転を上記調湿運転として行う一方、
上記ケーシング（11）内には、上記吸着部材（51,52）をバイパスして室内空気を室外へ送るための内気バイパス通路（82）がバイパス通路として形成されると共に、上記内気バイパス通路（82）を開閉するための内気バイパス用ダンパ（84）がバイパス用ダンパとして設けられており、
上記加湿運転の終了後に実行される上記通風運転として、上記内気バイパス用ダンパ（84）を開いて該内気バイパス用ダンパ（84）へ室内空気を供給し、該内気バイパス用ダンパ（84）を通過した室内空気を室内へ送り出す運転を行う
ことを特徴とする調湿装置。
【請求項４】
請求項２又は３において、
それぞれの表面に吸着剤が担持された吸着熱交換器（51,52）を上記吸着部材として備える一方、
上記吸着熱交換器（51,52）へ熱媒流体を供給する熱媒回路（50）を備えており、
上記熱媒回路（50）は、上記吸着熱交換器（51,52）へ冷却用の熱媒流体を供給して該吸着熱交換器（51,52）に空気中の水分を吸着させる吸着動作と、上記吸着熱交換器（51,52）へ加熱用の熱媒流体を供給して該吸着熱交換器（51,52）から水分を脱離させる再生動作とを行うように構成されている
ことを特徴とする調湿装置。
【発明の詳細な説明】
【技術分野】
【０００１】
本発明は、吸着剤を用いて空気の湿度調節を行う調湿装置に関するものである。
【背景技術】
【０００２】
従来より、吸着剤を利用して空気の湿度調節を行う調湿装置が知られている。特許文献１には、表面に吸着剤が担持された吸着熱交換器を備えた調湿装置が開示されている。
【０００３】
特許文献１に開示された調湿装置には、２つの吸着熱交換器を備えた冷媒回路が設けられている。この冷媒回路は、第１の吸着熱交換器が凝縮器となって第２の吸着熱交換器が蒸発器となる動作と、第２の吸着熱交換器が凝縮器となって第１の吸着熱交換器が蒸発器となる動作とを交互に行う。蒸発器として動作する吸着熱交換器では、吸着剤に空気中の水分が吸着される。凝縮器として動作する吸着熱交換器では、水分が吸着剤から脱離して空気に付与される。
【０００４】
特許文献１に開示された調湿装置は、各吸着熱交換器を通過した空気の一方を室内へ供給して他方を室外へ排出する。また、特許文献１に開示された調湿装置は、室内の換気を行う。除湿運転中の調湿装置は、取り込んだ室外空気を蒸発器として動作する吸着熱交換器で除湿してから室内へ供給すると同時に、取り込んだ室内空気を凝縮器として動作する吸着熱交換器から脱離した水分と共に室外へ排出する。一方、加湿運転中の調湿装置は、取り込んだ室外空気を凝縮器として動作する吸着熱交換器で加湿してから室内へ供給すると同時に、取り込んだ室内空気を蒸発器として動作する吸着熱交換器で除湿してから室外へ排出する。
【特許文献１】特開２００６−０７８１０８号公報
【発明の開示】
【発明が解決しようとする課題】
【０００５】
ところで、例えば春季や秋季のように室外空気の湿度が高過ぎもせず低過ぎもしない時期には、室外空気を湿度調節せずにそのまま室内へ供給しても、室内の快適性が損なわれることはない。従って、このような時期に室内へ供給される室外空気の湿度調節を調湿装置に行わせるのは無駄である。
【０００６】
この問題の解決策としては、調湿装置に吸着熱交換器をバイパスして空気を流すためのバイパス通路を設け、春季や秋季にはバイパス通路を通じて室外空気をそのまま室内へ供給することが考えられる。その場合、調湿装置には、バイパス通路を開閉するためのダンパが設けられる。そして、例えば夏季や冬季のような空気の湿度調節が必要な時期において、調湿装置では、バイパス通路のダンパが閉鎖され、空気を吸着熱交換器へ送って湿度調節する調湿運転が行われる。
【０００７】
このように、調湿装置にバイパス通路を設けた場合、調湿運転中の調湿装置では、バイパス通路のダンパが常に閉じられる。調湿運転中に閉じられたバイパス通路のダンパでは、そのダンパによって仕切られた空間の一方に湿度調節される前の空気が存在し、その他方に湿度調節された後の空気が存在する。つまり、バイパス通路のダンパによって仕切られた空間では、その一方と他方とで空気の状態（湿度や温度）が相違する。このため、バイパス通路のダンパによって仕切られた空間の一方に高湿度の空気が存在して他方に低温の空気が存在する場合もあり、この場合には高湿度の空気に含まれる水分がダンパの表面で結露するおそれがある。そして、ダンパ表面に付着した水がケーシング内に流れ落ちると、その水に起因して調湿装置の構成機器が故障するおそれがある。
【０００８】
本発明は、かかる点に鑑みてなされたものであり、その目的は、バイパス通路が設けられた調湿装置において、バイパス通路のダンパに付着した水がケーシング内の流れ落ちるのを防ぐことにある。
【課題を解決するための手段】
【０００９】
第１の発明は、吸着剤を有して該吸着剤を空気と接触させる吸着部材（51,52）と、該吸着部材（51,52）が収容されるケーシング（11）とを備え、上記ケーシング（11）内に取り込んだ空気を上記吸着部材（51,52）と接触させることによって湿度調節する調湿装置を対象とする。そして、上記ケーシング（11）内には、上記吸着部材（51,52）をバイパスして空気を流すためのバイパス通路（81,82）が形成されると共に、該バイパス通路（81,82）を開閉するためのバイパス用ダンパ（83,84）が設けられ、上記バイパス用ダンパ（83,84）を閉じ、上記ケーシング（11）内へ取り込んだ空気を上記吸着部材（51,52）で湿度調節した後に室内へ供給する調湿運転と、上記バイパス用ダンパ（83,84）を開き、上記ケーシング（11）内へ取り込んだ空気を上記バイパス通路（81,82）へ送ってそのまま室内へ供給する単純換気運転とを選択的に行う一方、上記調湿運転の終了後に上記バイパス用ダンパ（83,84）を開いて該バイパス用ダンパ（83,84）へ空気を供給する通風運転を実行可能となっているものである。
【００１０】
第１の発明では、調湿装置（10）が調湿運転と単純換気運転とを行う。調湿運転中の調湿装置（10）では、バイパス用ダンパ（83,84）が閉じられ、ケーシング（11）内へ取り込まれた空気が吸着部材（51,52）へ送られる。吸着部材（51,52）では、送り込まれた空気が吸着剤と接触し、空気の湿度が調節される。つまり、吸着部材（51,52）では、空気中の水分が吸着剤に吸着され、あるいは吸着剤から脱離した水分が空気に付与される。吸着部材（51,52）で湿度調節された空気は、室内へ供給される。一方、単純換気運転中の調湿装置（10）では、バイパス用ダンパ（83,84）が開かれ、ケーシング（11）内へ取り込まれた空気がバイパス通路を通って室内へ供給される。つまり、ケーシング（11）内へ取り込まれた空気は、吸着部材（51,52）で湿度調節されることなく、そのままの状態で室内へ送られる。
【００１１】
また、第１の発明では、調湿装置（10）が通風運転を行う。この通風運転は、調湿運転の終了後に行われる。ただし、調湿運転が終了する毎に通風運転を行う必要はない。上述したように、調湿運転中には、バイパス用ダンパ（83,84）が閉状態に保持される。そして、調湿運転中に閉状態となったバイパス用ダンパ（83,84）には、吸着部材（51,52）で湿度調節される前の空気と接触する部分と、吸着部材（51,52）で湿度調節された後の空気と接触する部分とが存在する。このため、バイパス用ダンパ（83,84）では、その表面で水分が結露する場合がある。そこで、通風運転では、調湿運転の終了後にバイパス用ダンパ（83,84）を開き、このバイパス用ダンパ（83,84）へ空気を供給する。このため、通風運転中には空気がバイパス用ダンパ（83,84）を通過することとなり、調湿運転中にバイパス用ダンパ（83,84）に付着した水が蒸発してゆく。
【００１２】
第２の発明は、上記第１の発明において、上記ケーシング（11）内に室外空気と室内空気を取り込み、上記吸着部材（51,52）によって除湿した室外空気を室内へ供給し、室内空気を上記吸着部材（51,52）から脱離した水分と共に室外へ排出する除湿運転を上記調湿運転として行う一方、上記ケーシング（11）内には、上記吸着部材（51,52）をバイパスして室外空気を室内へ送るための外気バイパス通路（81）がバイパス通路として形成されると共に、上記外気バイパス通路（81）を開閉するための外気バイパス用ダンパ（83）がバイパス用ダンパとして設けられており、上記除湿運転の終了後に実行される上記通風運転として、上記外気バイパス用ダンパ（83）を開いて該外気バイパス用ダンパ（83）へ室外空気を供給し、該外気バイパス用ダンパ（83）を通過した室外空気を室外へ排出する運転を行うものである。
【００１３】
第２の発明の調湿装置（10）では、除湿運転が調湿運転として行われる。除湿運転中の調湿装置（10）では、吸着部材（51,52）に室外空気中の水分が吸着され、吸着部材（51,52）から脱離した水分が室内空気に付与される。そして、除湿運転中の調湿装置（10）は、除湿した室外空気を室内へ供給し、加湿した室内空気を室外へ排出する。また、除湿運転中の調湿装置（10）では、外気バイパス用ダンパ（83）が閉状態に保持される。除湿運転中の外気バイパス用ダンパ（83）には、除湿される前の室外空気と接触する部分と、除湿後の室外空気と接触する接触する部分とが存在する。このため、除湿運転中の外気バイパス用ダンパ（83）では、湿度の高い除湿前の室外空気と接触する部分で水分の結露が生じるおそれがある。
【００１４】
第２の発明において、通風運転中の調湿装置（10）では、外気バイパス用ダンパ（83）が開かれ、外気バイパス通路（81）を通じて室外空気が外気バイパス用ダンパ（83）へ送られる。通風運転中に外気バイパス用ダンパ（83）を通過した室外空気は、室外へ排出される。つまり、通風運転中の調湿装置（10）では、室外空気がケーシング（11）内へ取り込まれて外気バイパス用ダンパ（83）を通過した後に室外へ送り返される。
【００１５】
第３の発明は、上記第１の発明において、上記ケーシング（11）内に室外空気と室内空気を取り込み、室外空気を上記吸着部材（51,52）から脱離した水分と共に室内へ供給し、上記吸着部材（51,52）によって除湿した室内空気を室外へ排出する加湿運転を上記調湿運転として行う一方、上記ケーシング（11）内には、上記吸着部材（51,52）をバイパスして室内空気を室外へ送るための内気バイパス通路（82）がバイパス通路として形成されると共に、上記内気バイパス通路（82）を開閉するための内気バイパス用ダンパ（84）がバイパス用ダンパとして設けられており、上記加湿運転の終了後に実行される上記通風運転として、上記内気バイパス用ダンパ（84）を開いて該内気バイパス用ダンパ（84）へ室内空気を供給し、該内気バイパス用ダンパ（84）を通過した室内空気を室内へ送り出す運転を行うものである。
【００１６】
第３の発明の調湿装置（10）では、加湿運転が調湿運転として行われる。加湿運転中の調湿装置（10）では、吸着部材（51,52）に室内空気中の水分が吸着され、吸着部材（51,52）から脱離した水分が室外空気に付与される。そして、加湿運転中の調湿装置（10）は、加湿した室外空気を室内へ供給し、除湿した室内空気を室外へ排出する。また、加湿運転中の調湿装置（10）では、内気バイパス用ダンパ（84）が閉状態に保持される。加湿運転中の内気バイパス用ダンパ（84）には、除湿される前の室内空気と接触と接触する部分と、除湿後の室内空気と接触すると接触する部分とが存在する。このため、加湿運転中の内気バイパス用ダンパ（84）では、湿度の高い除湿前の室内空気と接触する部分で水分の結露が生じるおそれがある。
【００１７】
第３の発明において、通風運転中の調湿装置（10）では、内気バイパス用ダンパ（84）が開かれ、内気バイパス通路（82）を通じて室内空気が内気バイパス用ダンパ（84）へ送られる。通風運転中に内気バイパス用ダンパ（84）を通過した室内空気は、室内へ送られる。つまり、通風運転中の調湿装置（10）では、室内空気がケーシング（11）内へ取り込まれて内気バイパス用ダンパ（84）を通過した後に室内へ送り返される。
【００１８】
第４の発明は、上記第２又は第３の発明において、それぞれの表面に吸着剤が担持された吸着熱交換器（51,52）を上記吸着部材として備える一方、上記吸着熱交換器（51,52）へ熱媒流体を供給する熱媒回路（50）を備えており、上記熱媒回路（50）は、上記吸着熱交換器（51,52）へ冷却用の熱媒流体を供給して該吸着熱交換器（51,52）に空気中の水分を吸着させる吸着動作と、上記吸着熱交換器（51,52）へ加熱用の熱媒流体を供給して該吸着熱交換器（51,52）から水分を脱離させる再生動作とを行うように構成されるものである。
【００１９】
第４の発明では、調湿装置（10）に熱媒回路（50）が設けられる。この熱媒回路（50）は、吸着ユニットを構成する吸着熱交換器（51,52）に接続される。熱媒回路（50）は、吸着動作と再生動作とを行う。吸着動作中の吸着熱交換器（51,52）では、空気中の水分が吸着剤に吸着され、その際に発生した吸着熱が冷却用の熱媒流体によって奪われる。吸着動作中の吸着熱交換器（51,52）を通過する空気は、その湿度が低下すると共に、その温度も幾分低下する。再生動作中の吸着熱交換器（51,52）では、加熱用の熱媒流体によって加熱された吸着剤から水分が脱離してゆく。再生動作中の吸着熱交換器（51,52）を通過する空気は、その湿度が上昇すると共に、その温度も幾分上昇する。なお、この発明の熱媒回路（50）は、１つだけ接続された吸着熱交換器について吸着動作と再生動作を選択的に行うものであってもよいし、２つ接続された吸着熱交換器の一方についての吸着動作と他方についての再生動作とを同時に並行して行うものであってもよい。
【発明の効果】
【００２０】
本発明では、調湿装置（10）において通風運転が実行可能となっている。このため、調湿運転中にバイパス用ダンパ（83,84）の表面で結露が生じた場合でも、調湿運転の終了後に通風運転を行えば、バイパス用ダンパ（83,84）を空気が通過することとなり、バイパス用ダンパ（83,84）に付着した水が蒸発する。従って、本発明によれば、調湿運転の終了後にバイパス用ダンパ（83,84）を乾燥させることができ、調湿運転中にバイパス用ダンパ（83,84）に付着した水がケーシング（11）内に流れ落ちるのを防ぐことができる。その結果、調湿装置（10）の故障の原因を排除することができ、調湿装置（10）の信頼性を確保することができる。
【００２１】
上記第２の発明において、通風運転中の調湿装置（10）は、ケーシング（11）内へ取り込んだ室外空気を、外気バイパス用ダンパ（83）を通過させた後に室外へ送り返している。また、上記第３の発明において、通風運転中の調湿装置（10）は、ケーシング（11）内へ取り込んだ室内空気を、内気バイパス用ダンパ（84）を通過させた後に室内へ送り返している。つまり、これら発明の調湿装置（10）では、室内と室外の間で空気を行き来させずに通風運転が行われる。従って、第２及び第３の発明によれば、室外から室内への給気や室内から室外への排気を行わずに通風運転を実行することができ、室内の環境に影響を与えずにバイパス用ダンパ（83,84）を乾燥させることができる。
【発明を実施するための最良の形態】
【００２２】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２３】
〈調湿装置の全体構成〉
調湿装置（10）について、図１〜図６を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２４】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２５】
ケーシング（11）は、やや扁平で高さが比較的低い直方体状に形成されている。このケーシング（11）は、その左右方向の幅が奥行きよりも幾分長くなっている（図３を参照）。ケーシング（11）では、図１における左手前の側面（即ち、前面）を形成する部分が前面パネル部（12）となり、同図における右奥の側面（即ち、背面）を形成する部分が背面パネル部（13）となっている。また、このケーシング（11）では、同図における右手前の側面を形成する部分が第１側面パネル部（14）となり、同図における左奥の側面を形成する部分が第２側面パネル部（15）となっている。
【００２６】
ケーシング（11）では、前面パネル部（12）と背面パネル部（13）とが互いに対向し、第１側面パネル部（14）と第２側面パネル部（15）とが互いに対向している。また、ケーシング（11）では、第１側面パネル部（14）及び第２側面パネル部（15）が側板部を構成している。
【００２７】
ケーシング（11）には、外気吸込口（24）と、内気吸込口（23）と、給気口（22）と、排気口（21）とが形成されている。
【００２８】
外気吸込口（24）及び内気吸込口（23）は、背面パネル部（13）に開口している（図３，図５を参照）。外気吸込口（24）は、背面パネル部（13）の下側部分に配置されている。また、外気吸込口（24）は、背面パネル部（13）の左右幅方向の中央から第２側面パネル部（15）側へオフセットした位置に設けられている。内気吸込口（23）は、背面パネル部（13）の上側部分に配置されている。また、内気吸込口（23）は、背面パネル部（13）の左右幅方向の中央から第１側面パネル部（14）側へオフセットした位置に設けられている。
【００２９】
給気口（22）は、第１側面パネル部（14）における前面パネル部（12）側の端部付近に配置されている。排気口（21）は、第２側面パネル部（15）における前面パネル部（12）側の端部付近に配置されている。
【００３０】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３１】
上流側仕切板（71）及び下流側仕切板（72）は、前面パネル部（12）及び背面パネル部（13）と平行に配置されている。ケーシング（11）の内部空間において、上流側仕切板（71）は背面パネル部（13）寄りに配置され、下流側仕切板（72）は前面パネル部（12）寄りに配置されている。
【００３２】
上流側仕切板（71）の左右方向の幅は、ケーシング（11）の左右方向の幅よりも短くなっている。上流側仕切板（71）の右端部は、その概ね下半分が切り欠かれており、その上半分が第１側面パネル部（14）に接合されている。一方、上流側仕切板（71）の左端部と第２側面パネル部（15）との間には、隙間が形成されている。
【００３３】
下流側仕切板（72）の左右方向の幅は、上流側仕切板（71）の左右方向の幅よりも短くなっている。下流側仕切板（72）の右端部と第１側面パネル部（14）との間には、隙間が形成されている。また、下流側仕切板（72）の左端部と第２側面パネル部（15）との間にも、隙間が形成されている。
【００３４】
第１仕切板（74）は、上流側仕切板（71）と下流側仕切板（72）の間の空間を右側から塞ぐように配置されている。具体的に、第１仕切板（74）は、第１側面パネル部（14）と平行となり、且つ上流側仕切板（71）及び下流側仕切板（72）と直交する姿勢で配置されている。第１仕切板（74）の前端部は、下流側仕切板（72）の右端部に接合されている。第１仕切板（74）の後端部は、上流側仕切板（71）に接合されている。
【００３５】
第２仕切板（75）は、上流側仕切板（71）と下流側仕切板（72）の間の空間を左側から塞ぐように配置されている。具体的に、第２仕切板（75）は、第２側面パネル部（15）と平行となり、且つ上流側仕切板（71）及び下流側仕切板（72）と直交する姿勢で配置されている。第２仕切板（75）の前端部は、下流側仕切板（72）の左端部に接合されている。第２仕切板（75）の後端部は、背面パネル部（13）に接合されている。また、この第２仕切板（75）には、上流側仕切板（71）の左端部が接合されている。
【００３６】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。また、中央仕切板（73）は、上流側仕切板（71）及び下流側仕切板（72）の左右幅方向の中央よりも第２側面パネル部（15）側へ幾分寄った位置に設けられている。
【００３７】
ケーシング（11）内において、上流側仕切板（71）と背面パネル部（13）の間の空間は、上下２つの空間に仕切られている（図２，図５，図６を参照）。上下に仕切られたこの空間は、上側の空間が内気側通路（32）を構成し、下側の空間が外気側通路（34）を構成している。また、内気側通路（32）と外気側通路（34）は、後述する吸着熱交換器（51,52）へ供給される空気（即ち、吸着熱交換器（51,52）を通過する前の空気）が流れる吸込側空間を構成している。
【００３８】
内気側通路（32）は、内気吸込口（23）に接続するダクトを介して室内と連通している。内気側通路（32）には、空気から塵埃等を除去するための内気側フィルタ（27）が設けられている。内気側フィルタ（27）は、長辺が左右幅方向へ延びる長方形板状に形成され、内気側通路（32）を横断する姿勢で立設されている。内気側通路（32）は、この内気側フィルタ（27）によって前後に区画されている。内気側通路（32）における内気側フィルタ（27）の前側（下流側）の部分には、内気湿度センサ（96）が収容されている。この内気湿度センサ（96）は、ケーシング（11）の天板に取り付けられており、空気の相対湿度を計測する。
【００３９】
外気側通路（34）は、外気吸込口（24）に接続するダクトを介して室外空間と連通している。外気側通路（34）には、空気から塵埃等を除去するための外気側フィルタ（28）が設けられている。外気側フィルタ（28）は、長辺が左右幅方向へ延びる長方形板状に形成され、外気側通路（34）を横断する姿勢で立設されている。外気側通路（34）は、この外気側フィルタ（28）によって前後に区画されている。外気側通路（34）における外気側フィルタ（28）の前側（下流側）の部分には、外気湿度センサ（97）が収容されている。この外気湿度センサ（97）は、ケーシング（11）の底板に取り付けられており、空気の相対湿度を計測する。
【００４０】
上述したように、ケーシング（11）内における上流側仕切板（71）と下流側仕切板（72）の間の空間は、中央仕切板（73）によって左右に区画されている。左右に仕切られたこの空間は、中央仕切板（73）の右側の空間が第１熱交換器室（37）を構成し、中央仕切板（73）の左側の空間が第２熱交換器室（38）を構成している（図１，図３を参照）。第１熱交換器室（37）の左右方向の幅Ｗ1は、第２熱交換器室（38）の左右方向の幅Ｗ2よりも広くなっている（図４を参照）。
【００４１】
第１熱交換器室（37）には、第１吸着熱交換器（51）が収容されている。第２熱交換器室（38）には、第２吸着熱交換器（52）が収容されている。各吸着熱交換器（51,52）は、全体として長方形の厚板状あるいは扁平な直方体状に形成されている。吸着熱交換器（51,52）の詳細は後述する。
【００４２】
吸着熱交換器（51,52）は、その前面及び背面が上流側仕切板（71）及び下流側仕切板（72）と平行になる姿勢で、熱交換器室（37,38）内に立設されている。つまり、吸着熱交換器（51,52）は、熱交換器室（37,38）を横断する姿勢で設置されている。各熱交換器室（37,38）は、吸着熱交換器（51,52）によって前後に区画されている。各熱交換器室（37,38）において、吸着熱交換器（51,52）は、熱交換器室（37,38）の前後方向の中央よりも上流側仕切板（71）寄りに配置されている。また、各吸着熱交換器（51,52）は、左右幅方向に概ね一直線上に並んで配置されている。
【００４３】
各吸着熱交換器（51,52）の前面と下流側仕切板（72）の距離Ｌdは、各吸着熱交換器（51,52）の背面と上流側仕切板（71）の距離Ｌuに比べて長くなっている（図４を参照）。つまり、各熱交換器室（37,38）では、吸着熱交換器（51,52）の前側（即ち、下流側）の部分の前後長が、吸着熱交換器（51,52）の後ろ側（即ち、上流側）の部分の前後長よりも長くなっている。
【００４４】
各吸着熱交換器（51,52）には、液側分流器（61）とガス側ヘッダ（62）とが設けられている。第１吸着熱交換器（51）は、液側分流器（61）及びガス側ヘッダ（62）を含む全体が第１熱交換器室（37）に収容されている。一方、第２吸着熱交換器（52）は、全てのフィン（57）を含む大部分が第２熱交換器室（38）に収容されるものの、その一部分が中央仕切板（73）を貫通して第１熱交換器室（37）に露出している。具体的に、第２吸着熱交換器（52）は、それに付属する液側分流器（61）及びガス側ヘッダ（62）が第１熱交換器室（37）内に位置している。また、第２吸着熱交換器（52）は、液側分流器（61）及びガス側ヘッダ（62）が接続する端部側に位置するＵ字管部（59）も、第１熱交換器室（37）内に露出している。また、第１熱交換器室（37）には、冷媒回路（50）の電動膨張弁（55）が収容されている。
【００４５】
ケーシング（11）の内部空間では、下流側仕切板（72）の前面に沿った部分が上下に仕切られている（図２，図３，図６を参照）。上下に仕切られたこの空間は、上側の空間が給気側通路（31）を構成し、下側の空間が排気側通路（33）を構成している。また、給気側通路（31）と排気側通路（33）は、吸着熱交換器（51,52）を通過した後の空気が流れる吹出側空間を構成している。
【００４６】
上流側仕切板（71）には、開閉式のダンパ（41〜44）が４つ設けられている（図３，図６を参照）。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００４７】
第１内気側ダンパ（41）を開閉すると、内気側通路（32）と第１熱交換器室（37）の間が断続される。第２内気側ダンパ（42）を開閉すると、内気側通路（32）と第２熱交換器室（38）の間が断続される。第１外気側ダンパ（43）を開閉すると、外気側通路（34）と第１熱交換器室（37）の間が断続される。第２外気側ダンパ（44）を開閉すると、外気側通路（34）と第２熱交換器室（38）の間が断続される。
【００４８】
上流側仕切板（71）において、第１外気側ダンパ（43）は、第１内気側ダンパ（41）の真下に配置されている。第１内気側ダンパ（41）及び第１外気側ダンパ（43）は、それぞれの左右幅方向の中央が第１熱交換器室（37）の左右幅方向の中央よりも中央仕切板（73）寄り（即ち、第２側面パネル部（15）寄り）となる位置に設置されている（図３を参照）。
【００４９】
また、上流側仕切板（71）において、第２外気側ダンパ（44）は、第２内気側ダンパ（42）の真下に配置されている。第２内気側ダンパ（42）及び第２外気側ダンパ（44）は、それぞれの左右幅方向の中央が第２熱交換器室（38）の左右幅方向の中央よりも中央仕切板（73）寄り（即ち、第１側面パネル部（14）寄り）となる位置に設置されている（図３を参照）。
【００５０】
下流側仕切板（72）には、開閉式のダンパ（45〜48）が４つ設けられている（図３，図６を参照）。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００５１】
第１給気側ダンパ（45）を開閉すると、給気側通路（31）と第１熱交換器室（37）の間が断続される。第２給気側ダンパ（46）を開閉すると、給気側通路（31）と第２熱交換器室（38）の間が断続される。第１排気側ダンパ（47）を開閉すると、排気側通路（33）と第１熱交換器室（37）の間が断続される。第２排気側ダンパ（48）を開閉すると、排気側通路（33）と第２熱交換器室（38）の間が断続される。
【００５２】
下流側仕切板（72）において、第１排気側ダンパ（47）は、第１給気側ダンパ（45）の真下に配置されている。第１給気側ダンパ（45）及び第１排気側ダンパ（47）は、それぞれの左右幅方向の中央が第１熱交換器室（37）の左右幅方向の中央よりも中央仕切板（73）寄り（即ち、第２側面パネル部（15）寄り）となる位置に設置されている（図３を参照）。
【００５３】
また、下流側仕切板（72）において、第２排気側ダンパ（48）は、第２給気側ダンパ（46）の真下に配置されている。第２排気側ダンパ（48）及び第２給気側ダンパ（46）は、それぞれの左右幅方向の中央が第２熱交換器室（38）の左右幅方向の中央よりも中央仕切板（73）寄り（即ち、第１側面パネル部（14）寄り）となる位置に設置されている（図３を参照）。
【００５４】
ケーシング（11）内では、給気側通路（31）及び排気側通路（33）と前面パネル部（12）との間の空間が、仕切板（77）によって左右に仕切られている。この左右に仕切られた空間は、仕切板（77）の右側の空間が給気ファン室（36）を構成し、仕切板（77）の左側の空間が排気ファン室（35）を構成している。この仕切板（77）は、中央仕切板（73）よりも更に第２側面パネル部（15）寄りに立設されている。給気ファン室（36）及び排気ファン室（35）は、何れもケーシング（11）の底板から天板に亘る空間である。
【００５５】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。
【００５６】
具体的に、これらのファン（25,26）は、ファンロータと、ファンケーシング（86）と、ファンモータ（89）とを備えている。図示しないが、ファンロータは、その軸方向の長さが直径に比べて短い円筒状に形成され、その周側面に多数の翼が形成されている。ファンロータは、ファンケーシング（86）に収容されている。ファンケーシング（86）では、その側面（ファンロータの軸方向と直交する側面）の一方に吸入口（87）が開口している。また、ファンケーシング（86）には、その周側面から外側へ突出する部分が形成されており、その部分の突端に吹出口（88）が開口している。ファンモータ（89）は、ファンケーシング（86）における吸入口（87）と反対側の側面に取り付けられている。ファンモータ（89）は、ファンロータに連結されてファンロータを回転駆動する。
【００５７】
給気ファン（26）及び排気ファン（25）において、ファンロータがファンモータ（89）によって回転駆動されると、吸入口（87）を通ってファンケーシング（86）内へ空気が吸い込まれ、ファンケーシング（86）内の空気が吹出口（88）から吹き出される。
【００５８】
給気ファン室（36）において、給気ファン（26）は、ファンケーシング（86）の吸入口（87）が下流側仕切板（72）と対面する姿勢で設置されている。また、この給気ファン（26）のファンケーシング（86）の吹出口（88）は、給気口（22）に連通する状態で第１側面パネル部（14）に取り付けられている。
【００５９】
排気ファン室（35）において、排気ファン（25）は、ファンケーシング（86）の吸入口（87）が下流側仕切板（72）と対面する姿勢で設置されている。また、この排気ファン（25）のファンケーシング（86）の吹出口（88）は、排気口（21）に連通する状態で第２側面パネル部（15）に取り付けられている。
【００６０】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００６１】
四方切換弁（54）には、各吸着熱交換器（51,52）のガス側ヘッダ（62）から延びる連絡配管（65）が接続されている。この連絡配管（65）は、下流側仕切板（72）を貫通している。具体的に、下流側仕切板（72）では、給気側通路（31）に臨む部分（上側部分）のうち中央仕切板（73）の右側の部分（即ち、第１熱交換器室（37）に臨む部分）を連絡配管（65）が貫通している。なお、各吸着熱交換器（51,52）の液側分流器（61）は、一方が電動膨張弁（55）の一端に接続され、他方が電動膨張弁（55）の他端に接続されている。
【００６２】
ケーシング（11）内において、第１仕切板（74）と第１側面パネル部（14）の間の空間は、外気バイパス通路である第１バイパス通路（81）を構成している（図２，図３を参照）。また、ケーシング（11）内において、第２仕切板（75）と第２側面パネル部（15）の間の空間は、内気バイパス通路である第２バイパス通路（82）を構成している（図３，図５を参照）。第１バイパス通路（81）及び第２バイパス通路（82）は、ケーシング（11）の底板から天板に亘る空間である。第１バイパス通路（81）の通路幅Ｗb1（即ち、第１仕切板（74）と第１側面パネル部（14）の距離）は、第２バイパス通路（82）の通路幅Ｗb2（即ち、第２仕切板（75）と第２側面パネル部（15）の距離）よりも長くなっている（図４を参照）。
【００６３】
第１バイパス通路（81）の始端（背面パネル部（13）側の端部）は、外気側通路（34）だけに連通しており、内気側通路（32）からは遮断されている。この第１バイパス通路（81）は、外気側通路（34）における外気側フィルタ（28）の下流側部分と連通している。第１バイパス通路（81）の終端（前面パネル部（12）側の端部）は、仕切板（78）によって、給気側通路（31）、排気側通路（33）、及び給気ファン室（36）から区画されている。仕切板（78）のうち給気ファン室（36）に臨む部分には、外気バイパス用ダンパである第１バイパス用ダンパ（83）が設けられている。第１バイパス用ダンパ（83）は、概ね縦長の長方形状に形成されている。第１バイパス用ダンパ（83）を開閉すると、第１バイパス通路（81）と給気ファン室（36）との間が断続される。
【００６４】
第２バイパス通路（82）の始端（背面パネル部（13）側の端部）は、内気側通路（32）だけに連通しており、外気側通路（34）からは遮断されている。この第２バイパス通路（82）は、第２仕切板（75）に形成された連通口（76）を介して、内気側通路（32）における内気側フィルタ（27）の下流側部分と連通している。第２バイパス通路（82）の終端（前面パネル部（12）側の端部）は、仕切板（79）によって、給気側通路（31）、排気側通路（33）、及び排気ファン室（35）から区画されている。仕切板（79）のうち排気ファン室（35）に臨む部分には、内気バイパス用ダンパである第２バイパス用ダンパ（84）が設けられている。第２バイパス用ダンパ（84）は、概ね縦長の長方形状に形成されている。第２バイパス用ダンパ（84）を開閉すると、第２バイパス通路（82）と排気ファン室（35）との間が断続される。
【００６５】
なお、図６の右側面図及び左側面図では、第１バイパス通路（81）、第２バイパス通路（82）、第１バイパス用ダンパ（83）、及び第２バイパス用ダンパ（84）の図示を省略している。
【００６６】
調湿装置（10）では、第１バイパス用ダンパ（83）、第２バイパス用ダンパ（84）、第１給気側ダンパ（45）、第２給気側ダンパ（46）、第１排気側ダンパ（47）、及び第２排気側ダンパ（48）が切換機構を構成している。つまり、第１給気側ダンパ（45）、第２給気側ダンパ（46）、第１排気側ダンパ（47）、及び第２排気側ダンパ（48）が閉じ、第１バイパス用ダンパ（83）及び第２バイパス用ダンパ（84）が開いた状態において、ケーシング（11）内を流れる空気は、第１熱交換器室（37）及び第２熱交換器室（38）を通過せずに、第１バイパス通路（81）又は第２バイパス通路（82）を通過する。また、第１バイパス用ダンパ（83）及び第２バイパス用ダンパ（84）が閉じ、一方の給気側ダンパ（45,46）と一方の排気側ダンパ（47,48）とが開いた状態において、ケーシング（11）内を流れる空気は、第１バイパス通路（81）及び第２バイパス通路（82）を通過せずに、第１熱交換器室（37）又は第２熱交換器室（38）を通過する。
【００６７】
ケーシング（11）の第１側面パネル部（14）では、内気側通路（32）及び外気側通路（34）に面する部分が、フィルタ用開閉パネル（17）によって構成されている。また、この第１側面パネル部（14）では、第１バイパス通路（81）に面する部分が、主開閉パネル（16）によって構成されている。フィルタ用開閉パネル（17）及び主開閉パネル（16）は、ケーシング（11）に対して着脱自在となっている。
【００６８】
ケーシング（11）の前面パネル部（12）では、その右寄りの部分に電装品箱（90）が取り付けられている。なお、図２及び図６において、電装品箱（90）は省略されている。電装品箱（90）は、直方体状の箱であって、その内部に制御用基板（91）と電源用基板（92）とが収容されている。制御用基板（91）及び電源用基板（92）は、電装品箱（90）の側板のうち前面パネル部（12）に隣接する部分（即ち、背面板）の内側面に取り付けられている。電源用基板（92）のインバータ部には、放熱フィン（93）が設けられている。この放熱フィン（93）は、電源用基板（92）の背面に突設されており、電装品箱（90）の背面板とケーシング（11）の前面パネル部（12）とを貫通して給気ファン室（36）に露出している（図３，図５を参照）。
【００６９】
ケーシング（11）内において、圧縮機（53）、ファン（25,26）、ダンパ（41〜48）、湿度センサ（96,97）等に接続するリード線は、電装品箱（90）の内部へと延びている。そのうち、上流側仕切板（71）に取り付けられたダンパ（41〜44）の駆動モータに接続するリード線や、湿度センサ（96,97）に接続するリード線は、第１バイパス通路（81）を通って電装品箱（90）へと延びている。
【００７０】
〈冷媒回路の構成〉
上記冷媒回路（50）について、図７を参照しながら説明する。
【００７１】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。この冷媒回路（50）は、熱媒流体としての冷媒が流れる熱媒回路を構成している。
【００７２】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００７３】
上記四方切換弁（54）は、第１のポートと第３のポートが連通して第２のポートと第４のポートが連通する第１状態（図７(Ａ)に示す状態）と、第１のポートと第４のポートが連通して第２のポートと第３のポートが連通する第２状態（図７(Ｂ)に示す状態）とに切り換え可能となっている。
【００７４】
図８に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、フィン（57）の配列方向に蛇行する形状となっている。つまり、この伝熱管（58）では、各フィン（57）を貫通する直管部と、隣り合った直管部同士を接続するＵ字管部（59）とが交互に形成されている。
【００７５】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。吸着熱交換器（51,52）は、吸着材を空気と接触させるための吸着部材を構成している。
【００７６】
本実施形態の調湿装置（10）では、冷媒回路（50）が熱媒回路を構成する。この冷媒回路（50）では、２つの吸着熱交換器（51,52）のうち凝縮器として動作する方に高圧のガス冷媒が加熱用の熱媒流体として供給され、蒸発器として動作する方に低圧の気液二相冷媒が冷却用の熱媒流体として供給される。
【００７７】
−運転動作−
本実施形態の調湿装置（10）は、除湿換気運転と、加湿換気運転と、単純換気運転と、第１ダンパ乾燥運転と、第２ダンパ乾燥運転とを選択的に行う。
【００７８】
除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。つまり、除湿換気運転及び加湿換気運転は、湿度調節した室外空気が室内へ供給される調湿運転である。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００７９】
〈除湿換気運転〉
除湿換気運転は、調湿装置（10）から室内へ除湿された空気が供給される除湿運転である。除湿換気運転中の調湿装置（10）では、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【００８０】
除湿換気運転中の調湿装置（10）において、給気ファン（26）を運転すると、室外空気が外気吸込口（24）からケーシング（11）内へ第１空気として取り込まれる。また、排気ファン（25）を運転すると、室内空気が内気吸込口（23）からケーシング（11）内へ第２空気として取り込まれる。
【００８１】
先ず、除湿換気運転の第１動作について説明する。図９に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【００８２】
この第１動作中の冷媒回路（50）では、図７(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。つまり、この第１動作中の冷媒回路（50）では、第１吸着熱交換器（51）についての再生動作と、第２吸着熱交換器（52）についての吸着動作とが同時に並行して行われる。
【００８３】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００８４】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００８５】
次に、除湿換気運転の第２動作について説明する。図１０に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【００８６】
この第２動作中の冷媒回路（50）では、図７(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第１吸着熱交換器（51）が蒸発器となって第２吸着熱交換器（52）が凝縮器となる。つまり、この第２動作中の冷媒回路（50）では、第１吸着熱交換器（51）についての吸着動作と、第２吸着熱交換器（52）についての再生動作とが同時に並行して行われる。
【００８７】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００８８】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００８９】
〈加湿換気運転〉
加湿換気運転は、調湿装置（10）から室内へ加湿された空気が供給される加湿運転である。加湿換気運転中の調湿装置（10）では、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【００９０】
加湿換気運転中の調湿装置（10）において、給気ファン（26）を運転すると、室外空気が外気吸込口（24）からケーシング（11）内へ第２空気として取り込まれる。また、排気ファン（25）を運転すると、室内空気が内気吸込口（23）からケーシング（11）内へ第１空気として取り込まれる。
【００９１】
先ず、加湿換気運転の第１動作について説明する。図１１に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【００９２】
この第１動作中の冷媒回路（50）では、図７(Ａ)に示すように、四方切換弁（54）が第１状態に設定される。そして、この冷媒回路（50）では、除湿換気運転の第１動作中と同様に、第１吸着熱交換器（51）が凝縮器となって第２吸着熱交換器（52）が蒸発器となる。つまり、この第１動作中の冷媒回路（50）では、第１吸着熱交換器（51）についての再生動作と、第２吸着熱交換器（52）についての吸着動作とが同時に並行して行われる。
【００９３】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００９４】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００９５】
次に、加湿換気運転の第２動作について説明する。図１２に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【００９６】
この第２動作中の冷媒回路（50）では、図７(Ｂ)に示すように、四方切換弁（54）が第２状態に設定される。そして、この冷媒回路（50）では、除湿換気運転の第２動作中と同様に、第１吸着熱交換器（51）が蒸発器となって第２吸着熱交換器（52）が凝縮器となる。つまり、この第２動作中の冷媒回路（50）では、第１吸着熱交換器（51）についての吸着動作と、第２吸着熱交換器（52）についての再生動作とが同時に並行して行われる。
【００９７】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００９８】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００９９】
〈単純換気運転〉
単純換気運転中における調湿装置（10）の動作について、図１３を参照しながら説明する。この単純換気運転は、外気をそのまま室内へ供給しても室内の快適性が損なわれない時期（例えば、春季や秋季などの中間期）に行われる。つまり、この単純換気運転は、室内へ供給される空気の湿度調節は不要であるが、室内の換気は行う必要がある場合に実行される。
【０１００】
この単純換気運転では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。つまり、単純換気運転中において、冷媒回路（50）での冷凍サイクルは行われない。
【０１０１】
単純換気運転中の調湿装置（10）において、給気ファン（26）を運転すると、室外空気が外気吸込口（24）からケーシング（11）内へ取り込まれる。外気吸込口（24）を通って外気側通路（34）へ流入した室外空気は、外気側フィルタ（28）を通過後に第１バイパス通路（81）へ流入し、第１バイパス用ダンパ（83）を通って給気ファン室（36）へ流入する。給気ファン室（36）へ流入した室外空気は、給気ファン（26）へ吸い込まれ、給気口（22）を通って室内へ供給される。
【０１０２】
また、単純換気運転中の調湿装置（10）において、排気ファン（25）を運転すると、室内空気が内気吸込口（23）からケーシング（11）内へ取り込まれる。内気吸込口（23）を通って内気側通路（32）へ流入した室内空気は、内気側フィルタ（27）を通過後に第２バイパス通路（82）へ流入し、第２バイパス用ダンパ（84）を通って排気ファン室（35）へ流入する。排気ファン室（35）へ流入した室内空気は、排気ファン（25）へ吸い込まれ、排気口（21）を通って室外へ排出される。
【０１０３】
〈第１ダンパ乾燥運転〉
第１ダンパ乾燥運転は、除湿換気運転中に所定の条件が成立すると、その除湿換気運転が終了した後に実行される。具体的に、調湿装置（10）は、除湿換気運転中にそれまでの除湿換気運転の積算時間が所定の値（例えば、１２時間）に達すると、その除湿換気運転の終了後に、第１ダンパ乾燥動作を通風運転として行う。
【０１０４】
上述したように、除湿換気運転中の調湿装置（10）では、第１バイパス用ダンパ（83）及び第２バイパス用ダンパ（84）が常に閉状態となる。除湿換気運転中において、第１バイパス通路（81）の終端に配置された第１バイパス用ダンパ（83）は、第１バイパス通路（81）に面する部分が除湿前の第１空気（室外空気）と接触し、給気ファン室（36）に面する部分が蒸発器として動作する吸着熱交換器（51,52）で除湿された第１空気と接触する。
【０１０５】
このように、除湿換気運転中の第１バイパス用ダンパ（83）は、第１バイパス通路（81）側の表面が湿った空気と接触し、給気ファン室（36）側の表面が冷たくて乾いた空気と接触する。このため、除湿換気運転中の第１バイパス用ダンパ（83）では、第１バイパス通路（81）に面する部分で結露が生じるおそれがある。また、除湿換気運転中において、第１バイパス通路（81）では空気が淀んだ状態となっている。従って、除湿換気運転中に第１バイパス用ダンパ（83）の第１バイパス通路（81）側の表面で結露が生じると、その表面が凝縮水で濡れたままの状態となる。
【０１０６】
図示しないが、第１バイパス用ダンパ（83）では、第１バイパス通路（81）に面する部分にスポンジ状の保水用部材が設けられており、その表面に付着した結露水が保水用部材に保持される。ところが、保水用部材が保持できる水の量には限りがあるため、何らかの手段を講じて保水用部材から水を取り除く必要がある。
【０１０７】
そこで、本実施形態の調湿装置（10）は、除湿換気運転中に第１バイパス用ダンパ（83）に付着した水を蒸発させるために、第１ダンパ乾燥運転を実行する。ここでは、第１ダンパ乾燥運転中の調湿装置（10）の動作について、図１４を参照しながら説明する。
【０１０８】
第１ダンパ乾燥運転中には、第１バイパス用ダンパ（83）、第１給気側ダンパ（45）、第２給気側ダンパ（46）、第１排気側ダンパ（47）、及び第２排気側ダンパ（48）が開状態となり、第２バイパス用ダンパ（84）、第１内気側ダンパ（41）、第２内気側ダンパ（42）、第１外気側ダンパ（43）、及び第２外気側ダンパ（44）が閉状態となる。また、第１ダンパ乾燥運転中には、排気ファン（25）だけが運転され、給気ファン（26）が停止する。
【０１０９】
第１ダンパ乾燥運転中の調湿装置（10）では、室外空気が外気吸込口（24）からケーシング（11）内へ取り込まれる。外気吸込口（24）を通って外気側通路（34）へ流入した室外空気は、外気側フィルタ（28）を通過後に第１バイパス通路（81）へ流入し、第１バイパス用ダンパ（83）を通過して給気ファン室（36）へ流入する。給気ファン室（36）へ流入した室外空気は、その一部が第１熱交換器室（37）を通って排気側通路（33）へ流入し、残りが第２熱交換器室（38）を通って排気側通路（33）へ流入する。その後、室外空気は、排気ファン室（35）へ流入して排気ファン（25）へ吸い込まれ、排気口（21）を通って室外へ排出される。
【０１１０】
このように、第１ダンパ乾燥運転中には、ケーシング（11）内へ取り込まれた室外空気が第１バイパス用ダンパ（83）を通過する。このため、除湿換気運転中に第１バイパス用ダンパ（83）の表面で結露が生じていたとしても、第１バイパス用ダンパ（83）に付着した水は、蒸発して第１バイパス用ダンパ（83）を通過した空気と共にケーシング（11）内から排出される。
【０１１１】
〈第２ダンパ乾燥運転〉
第２ダンパ乾燥運転は、加湿換気運転中に所定の条件が成立すると、その加湿換気運転が終了した後に実行される。具体的に、調湿装置（10）は、加湿換気運転中にそれまでの加湿換気運転の積算時間が所定の値（例えば、１２時間）に達すると、その加湿換気運転の終了後に、第１ダンパ乾燥動作を通風運転として行う。
【０１１２】
上述したように、加湿換気運転中の調湿装置（10）では、第１バイパス用ダンパ（83）及び第２バイパス用ダンパ（84）が常に閉状態となる。加湿換気運転中において、第２バイパス通路（82）の終端に配置された第２バイパス用ダンパ（84）は、第２バイパス通路（82）に面する部分が除湿前の第１空気（室内空気）と接触し、排気ファン室（35）に面する部分が蒸発器として動作する吸着熱交換器（51,52）で除湿された第１空気と接触する。
【０１１３】
このように、加湿換気運転中の第２バイパス用ダンパ（84）は、第２バイパス通路（82）側の表面が湿った空気と接触し、排気ファン室（35）側の表面が冷たくて乾いた空気と接触する。このため、加湿換気運転中の第２バイパス用ダンパ（84）では、第２バイパス通路（82）に面する部分で結露が生じるおそれがある。また、加湿換気運転中において、第２バイパス通路（82）では空気が淀んだ状態となっている。従って、加湿換気運転中に第２バイパス用ダンパ（84）の第２バイパス通路（82）側の表面で結露が生じると、その表面が凝縮水で濡れたままの状態となる。
【０１１４】
図示しないが、第２バイパス用ダンパ（84）では、第２バイパス通路（82）に面する部分にスポンジ状の保水用部材が設けられており、その表面に付着した結露水が保水用部材に保持される。ところが、保水用部材が保持できる水の量には限りがあるため、何らかの手段を講じて保水用部材から水を取り除く必要がある。
【０１１５】
そこで、本実施形態の調湿装置（10）は、加湿換気運転中に第２バイパス用ダンパ（84）に付着した水を蒸発させるために、第２ダンパ乾燥運転を実行する。ここでは、第２ダンパ乾燥運転中の調湿装置（10）の動作について、図１５を参照しながら説明する。
【０１１６】
第２ダンパ乾燥運転中には、第２バイパス用ダンパ（84）、第１給気側ダンパ（45）、第２給気側ダンパ（46）、第１排気側ダンパ（47）、及び第２排気側ダンパ（48）が開状態となり、第１バイパス用ダンパ（83）、第１内気側ダンパ（41）、第２内気側ダンパ（42）、第１外気側ダンパ（43）、及び第２外気側ダンパ（44）が閉状態となる。また、第２ダンパ乾燥運転中には、給気ファン（26）だけが運転され、排気ファン（25）が停止する。
【０１１７】
第２ダンパ乾燥運転中の調湿装置（10）では、室内空気が内気吸込口（23）からケーシング（11）内へ取り込まれる。内気吸込口（23）を通って内気側通路（32）へ流入した室内空気は、内気側フィルタ（27）を通過後に第２バイパス通路（82）へ流入し、第２バイパス用ダンパ（84）を通過して排気ファン室（35）へ流入する。排気ファン室（35）へ流入した室内空気は、その一部が第１熱交換器室（37）を通って給気側通路（31）へ流入し、残りが第２熱交換器室（38）を通って給気側通路（31）へ流入する。その後、室内空気は、給気ファン室（36）へ流入して給気ファン（26）へ吸い込まれ、給気口（22）を通って室内へ送り出される。
【０１１８】
このように、第２ダンパ乾燥運転中には、ケーシング（11）内へ取り込まれた室内空気が第２バイパス用ダンパ（84）を通過する。このため、加湿換気運転中に第２バイパス用ダンパ（84）の表面で結露が生じていたとしても、第２バイパス用ダンパ（84）に付着した水は、蒸発して第２バイパス用ダンパ（84）を通過した空気と共にケーシング（11）内から排出される。
【０１１９】
−実施形態の効果−
本実施形態の調湿装置（10）では通風運転である第１ダンパ乾燥運転や第２ダンパ乾燥運転が実行可能となっている。このため、調湿運転（即ち、除湿換気運転や加湿換気運転）の最中にバイパス用ダンパ（83,84）の表面で結露が生じた場合でも、調湿運転の終了後にダンパ乾燥運転を行えば、バイパス用ダンパ（83,84）を空気が通過することとなり、バイパス用ダンパ（83,84）に付着した水が蒸発する。従って、本実施形態によれば、調湿運転の終了後にバイパス用ダンパ（83,84）を乾燥させることができ、調湿運転中にバイパス用ダンパ（83,84）に付着した水がケーシング（11）内に流れ落ちるのを防ぐことができる。その結果、調湿装置（10）の故障の原因を排除することができ、調湿装置（10）の信頼性を確保することができる。
【０１２０】
ここで、第１ダンパ乾燥運転中の調湿装置（10）は、ケーシング（11）内へ取り込んだ室外空気を、第１バイパス用ダンパ（83）を通過させた後に室外へ送り返している。また、第２ダンパ乾燥運転中の調湿装置（10）は、ケーシング（11）内へ取り込んだ室内空気を、第２バイパス用ダンパ（84）を通過させた後に室内へ送り返している。つまり、本実施形態の調湿装置（10）では、室内と室外の間で空気を行き来させずにダンパ乾燥運転が行われる。従って、本実施形態によれば、室外から室内への給気や室内から室外への排気を行わずに通風運転を実行することができ、室内を陰圧にしたり陽圧にしたりすることなくバイパス用ダンパ（83,84）を乾燥させることができる。
【０１２１】
−実施形態の変形例−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１２２】
また、本実施形態の調湿装置（10）では、第１吸着熱交換器（51）及び第２吸着熱交換器（52）に対して冷水や温水を供給することで、吸着剤の加熱や冷却を行ってもよい。この場合には、冷水や温水を吸着熱交換器（51,52）へ供給するための管路が、熱媒流体としての冷水や温水が流れる熱媒回路を構成している。
【０１２３】
なお、以上の実施形態は、本質的に好ましい例示であって、本発明、その適用物、あるいはその用途の範囲を制限することを意図するものではない。
【産業上の利用可能性】
【０１２４】
以上説明したように、本発明は、室内の湿度調節を行うための調湿装置について有用である。
【図面の簡単な説明】
【０１２５】
【図１】前面側から見た調湿装置をケーシングの天板を省略して示す斜視図である。
【図２】前面側から見た調湿装置をケーシングの一部および電装品箱を省略して示す斜視図である。
【図３】調湿装置をケーシングの天板を省略して示す平面図である。
【図４】調湿装置の要部をケーシングの天板を省略して示す平面図である。
【図５】背面側から見た調湿装置をケーシングの天板を省略して示す斜視図である。
【図６】調湿装置の一部を省略して示す概略の平面図、右側面図、及び左側面図である。
【図７】冷媒回路の構成を示す配管系統図であって、(Ａ)は第１動作中の動作を示すものであり、(Ｂ)は第２動作中の動作を示すものである。
【図８】吸着熱交換器の概略斜視図である。
【図９】除湿換気運転の第１動作における空気の流れを示す調湿装置の概略の平面図、右側面図、及び左側面図である。
【図１０】除湿換気運転の第２動作における空気の流れを示す調湿装置の概略の平面図、右側面図、及び左側面図である。
【図１１】加湿換気運転の第１動作における空気の流れを示す調湿装置の概略の平面図、右側面図、及び左側面図である。
【図１２】加湿換気運転の第２動作における空気の流れを示す調湿装置の概略の平面図、右側面図、及び左側面図である。
【図１３】単純換気運転における空気の流れを示す調湿装置の概略の平面図、右側面図、及び左側面図である。
【図１４】第１ダンパ乾燥運転における空気の流れを示す調湿装置の概略の平面図、右側面図、及び左側面図である。
【図１５】第２ダンパ乾燥運転における空気の流れを示す調湿装置の概略の平面図、右側面図、及び左側面図である。
【符号の説明】
【０１２６】
10    調湿装置
11    ケーシング
50    冷媒回路（熱媒回路）
51    第１吸着熱交換器（吸着部材）
52    第２吸着熱交換器（吸着部材）
81    第１バイパス通路（外気バイパス通路）
82    第２バイパス通路（内気バイパス通路）
83    第１バイパス用ダンパ（外気バイパス用ダンパ）
84    第２バイパス用ダンパ（内気バイパス用ダンパ）
【図１】
0004946800.tif 000002
【図２】
0004946800.tif 000003
【図３】
0004946800.tif 000004
【図４】
0004946800.tif 000005
【図５】
0004946800.tif 000006
【図６】
0004946800.tif 000007
【図７】
0004946800.tif 000008
【図８】
0004946800.tif 000009
【図９】
0004946800.tif 000010
【図１０】
0004946800.tif 000011
【図１１】
0004946800.tif 000012
【図１２】
0004946800.tif 000013
【図１３】
0004946800.tif 000014
【図１４】
0004946800.tif 000015
【図１５】
0004946800.tif 000016